(57)【要約】【課題】導光板を傷付けることなくＬ形ランプやＵ形ランプの交換作業を容易に行える、耐用年数の長い液晶モジュールを提供する。【解決手段】リアフレーム１の一組の側板の少なくとも一方の側板を切除し、セル支持フレーム４の一組の側枠部４ａ，４ｄの少なくとも一方の側枠部４ｄを分割してその両端部を両隣りの側枠部４ｂ，４ｃの端部に脱着自在に連結し、少なくとも分割した側枠部４ｄと片隣りの側枠部４ｂの内側にランプリフレクター６を固着し、分割した側枠部４ｄのランプリフレクター６の内側にＬ形ランプ５の一端側部分５ａを固定し、その片隣りの側枠部４ｂのランプリフレクター６の内側にＬ形ランプ５の他端側部分５ｂを出し入れ自在に挿入した構造の液晶モジュールとする。分割した側枠部４ｄと共にＬ形ランプ５を出し入れして、セル支持フレーム４内側の導光板３の側面を傷付けることなくランプ交換可能とする。【選択図】図４
2009042324.tif 000002
【特許請求の範囲】
【請求項１】
リアフレームの四周の側板に沿ってセル支持フレームを設け、セル支持フレームの内側に光反射シートと導光板と光学シートを重ねて設け、導光板とセル支持フレームの間にランプとランプリフレクターを設け、セル支持フレームに液晶セルの周縁部を載置し、その上からベゼルを被着した液晶モジュールにおいて、
上記リアフレームの相対向する一組の側板の少なくとも一方の側板を切除し、これに対応して上記セル支持フレームの相対向する一組の側枠部の少なくとも一方の側枠部を分割してその両端部を両隣りの側枠部の端部に脱着自在に連結し、少なくとも分割した側枠部とその片隣りの側枠部の内側に上記ランプリフレクターを固着し、分割した側枠部のランプリフレクターの内側にＬ形ランプの一端側部分を固定すると共に、その片隣りの側枠部のランプリフレクターの内側にＬ形ランプの直角に曲がった他端側部分を出し入れ自在に挿入したことを特徴とする液晶モジュール。
【請求項２】
上記リアフレームの相対向する一組の側板を切除し、これに対応して上記セル支持フレームの相対向する一組の側枠部を分割してそれぞれの両端部を両隣りの側枠部の端部に脱着自在に連結し、セル支持フレームの四周の側枠部の内側に上記ランプリフレクターを固着し、分割した一組の側枠部のランプリフレクターの内側に、２本のＬ形ランプの一端側部分をそれぞれ固定すると共に、それらの片隣りの側枠部のランプリフレクターの内側に、２本のＬ形ランプの直角に曲がった他端側部分をそれぞれ出し入れ自在に挿入したことを特徴とする請求項１に記載の液晶モジュール。
【請求項３】
リアフレームの四周の側板に沿ってセル支持フレームを設け、セル支持フレームの内側に光反射シートと導光板と光学シートを重ねて設け、導光板とセル支持フレームの間にランプとランプリフレクターを設け、セル支持フレームに液晶セルの周縁部を載置し、その上からベゼルを被着した液晶モジュールにおいて、
上記リアフレームの相対向する一組の側板の一方の側板を切除し、これに対応して上記セル支持フレームの相対向する一組の側枠部の一方の側枠部を分割してその両端部を両隣りの側枠部の端部に脱着自在に連結し、分割した側枠部とその両隣りの側枠部の内側に上記ランプリフレクターを固着し、分割した側枠部のランプリフレクターの内側にＵ形ランプの中央部分を固定すると共に、その両隣りの側枠部のランプリフレクターの内側にＵ形ランプの直角に曲がった両端側部分を出し入れ自在に挿入したことを特徴とする液晶モジュール。
【請求項４】
上記セル支持フレームの分割した側枠部の両端部とその両隣りの側枠部の端部をビス止めして脱着自在に連結したことを特徴とする請求項１ないし請求項３のいずれかに記載の液晶モジュール。
【請求項５】
上記セル支持フレームの分割した側枠部の両端部とその両隣りの側枠部の端部のいずれか一方に係合部を形成すると共に、他方に被係合部を形成し、係合部を被係合部に係合させて、分割した側枠部の両端部とその両隣りの側枠部の端部を脱着自在に連結したことを特徴とする請求項１ないし請求項３のいずれかに記載の液晶モジュール。
【発明の詳細な説明】
【技術分野】
【０００１】
本発明はテレビ、パソコン、カーナビ、その他の電子機器に組み込まれる液晶モジュールに関し、特に、導光板を傷付けることなくランプの交換作業を容易に行えるように改良した液晶モジュールに関する。
【背景技術】
【０００２】
ランプユニットを容易に交換できる液晶表示装置のバックライトアセンブリとして、ボトムシャーシの内側に、複数の切片に分離されたモールドフレームを設け、このモールドフレームとその内側の導光板との間に、Ｌ形ランプとＬ形ランプ反射板を備えた第一及び第二のランプユニットを出し入れ可能に設けると共に、導光板の上下両面に光学シートと光反射シートを重ね、光学シートの上に液晶セルを設けて上方からトップシャーシを被着したものが提案されている（特許文献１）。
【０００３】
また、モールドフレームを第一フレームと第二フレームに分割及び組立て可能とし、第一フレームに導光板と集光手段を収納すると共に、第二フレームに直状のランプを収容し、第二フレームの内面に反射シートを一体形成してランプリフレクタ機能を持たせた液晶表示装置も提案されている（特許文献２）。
【特許文献１】特開２００３−３４６５３３号公報
【特許文献２】特開２００１−３５６３４３号公報
【発明の開示】
【発明が解決しようとする課題】
【０００４】
しかしながら、前記特許文献１の液晶表示装置のバックライトアセンブリは、第一及び第二のランプユニットの出し入れが可能で容易にＬ形ランプを交換できるというものの、第一及び第二のランプユニットを抜き出したり挿入したりするときに、Ｌ形ランプ反射板が導光板の端面と摩擦して導光板の端面を傷付けたり、削り粉が出たりする問題があった。
【０００５】
このような問題は、前記特許文献２の液晶表示装置では生じない。けれども、特許文献２の液晶表示装置の技術は直状のランプを内蔵する場合に限られ、Ｌ形のランプやＵ形のランプを内蔵する液晶表示装置には適用することができないものである。
【０００６】
本発明は上記事情の下になされたもので、その解決しようとする課題は、導光板を傷付けることなくＬ形ランプやＵ形ランプの交換作業を容易に行える、耐用年数の長い液晶モジュールを提供することにある。
【課題を解決するための手段】
【０００７】
上記課題を解決するため、本発明に係る第一の液晶モジュールは、リアフレームの四周の側板に沿ってセル支持フレームを設け、セル支持フレームの内側に光反射シートと導光板と光学シートを重ねて設け、導光板とセル支持フレームの間にランプとランプリフレクターを設け、セル支持フレームに液晶セルの周縁部を載置し、その上からベゼルを被着した液晶モジュールにおいて、
上記リアフレームの相対向する一組の側板の少なくとも一方の側板を切除し、これに対応して上記セル支持フレームの相対向する一組の側枠部の少なくとも一方の側枠部を分割してその両端部を両隣りの側枠部の端部に脱着自在に連結し、少なくとも分割した側枠部とその片隣りの側枠部の内側に上記ランプリフレクターを固着し、分割した側枠部のランプリフレクターの内側にＬ形ランプの一端側部分を固定すると共に、その片隣りの側枠部のランプリフレクターの内側にＬ形ランプの直角に曲がった他端側部分を出し入れ自在に挿入したことを特徴とするものである。
【０００８】
このような液晶モジュールにおいては、上記リアフレームの相対向する一組の側板を切除し、これに対応して上記セル支持フレームの相対向する一組の側枠部を分割してそれぞれの両端部を両隣りの側枠部の端部に脱着自在に連結し、セル支持フレームの四周の側枠部の内側に上記ランプリフレクターを固着し、分割した一組の側枠部のランプリフレクターの内側に、２本のＬ形ランプの一端側部分をそれぞれ固定すると共に、それらの片隣りの側枠部のランプリフレクターの内側に、２本のＬ形ランプの直角に曲がった他端側部分をそれぞれ出し入れ自在に挿入しても勿論よい。
【０００９】
また、本発明に係る第二の液晶モジュールは、リアフレームの四周の側板に沿ってセル支持フレームを設け、セル支持フレームの内側に光反射シートと導光板と光学シートを重ねて設け、導光板とセル支持フレームの間にランプとランプリフレクターを設け、セル支持フレームに液晶セルの周縁部を載置し、その上からベゼルを被着した液晶モジュールにおいて、
上記リアフレームの相対向する一組の側板の一方の側板を切除し、これに対応して上記セル支持フレームの相対向する一組の側枠部の一方の側枠部を分割してその両端部を両隣りの側枠部の端部に脱着自在に連結し、分割した側枠部とその両隣りの側枠部の内側に上記ランプリフレクターを固着し、分割した側枠部のランプリフレクターの内側にＵ形ランプの中央部分を固定すると共に、その両隣りの側枠部のランプリフレクターの内側にＵ形ランプの直角に曲がった両端側部分を出し入れ自在に挿入したことを特徴とするものである。
【００１０】
これらの液晶モジュールにおいては、セル支持フレームの分割した側枠部の両端部とその両隣りの側枠部の端部をビス止めして脱着自在に連結することが望ましい。また、セル支持フレームの分割した側枠部の両端部とその両隣りの側枠部の端部のいずれか一方に係合部を形成すると共に、他方に被係合部を形成し、係合部を被係合部に係合させて、分割した側枠部の両端部とその両隣りの側枠部の端部を脱着自在に連結することも望ましい。
【発明の効果】
【００１１】
本発明の第一の液晶モジュールでは、ランプ交換が必要になったときに、セル支持フレームの分割された側枠部の両端部とその両隣りの側枠部の端部との連結を解除して、分割された側枠部を引き出すと、この側枠部のランプリフレクターに固定されたＬ形ランプが一緒に引き出され、Ｌ形ランプの直角に曲がった他端側部分が片隣りの側枠部のランプリフレクターから引き抜かれる。そして、Ｌ形ランプを新しいものに取り替え、Ｌ形ランプの直角に曲がった他端側部分を片隣りの側枠部のランプリフレクターに挿入しながら、分割された側枠部を押し込んでその両端部を両隣りの側枠部の端部に連結すると、簡単かつ効率良くＬ形ランプの交換作業を行うことができる。このように、本発明の液晶モジュールは、片隣りの側枠部のランプリフレクターを引き抜いたり差し込んだりするものではなく、ランプリフレクターの内側のＬ形ランプの他端側部分を引き抜いたり挿入したりするものであるから、導光板の側面がランプリフレクターと摩擦して傷付けられたり、削り粉が出たりする心配はなく、ランプ交換によって耐用年数を延ばすことが可能となる。
【００１２】
また、本発明の第二の液晶モジュールでは、分割された側枠部を引き出すと、この側枠部のランプリフレクターに固定されたＵ形ランプが一緒に引き出され、Ｕ形ランプの直角に曲がった両端側部分が両隣りの側枠部のランプリフレクターから引き抜かれるので、Ｕ形ランプを新しいものに取り替え、Ｕ形ランプの直角に曲がった両端側部分を両隣りの側枠部のランプリフレクターに挿入しながら、分割された側枠部を押し込んでその両端部を両隣りの側枠部の端部に連結すると、簡単かつ効率良くＵ形ランプの交換作業を行うことができる。この場合も、導光板の側面がランプリフレクターと摩擦して傷付けられたり、削り粉が出たりする心配はない。
【００１３】
そして、セル支持フレームの分割した側枠部の両端部とその両隣りの側枠部の端部がビス止めによって脱着自在に連結されていると、分割した側枠部の連結作業及び連結解除作業を簡単かつ確実に行うことができ、また、分割した側枠部の両端部とその両隣りの側枠部の端部が、係合部と被係合部の係合によって脱着自在に連結されていると、分割した側枠部の連結作業及び連結解除作業を一層簡単に行うことができる。
【発明を実施するための最良の形態】
【００１４】
以下、図面を参照して本発明の具体的な実施形態を詳述する。
【００１５】
図１は本発明の一実施形態に係る液晶モジュールの概略分解斜視図、図２は同液晶モジュールの断面図、図３はベゼルと液晶セルと光学シートを省略した同液晶モジュールの平面図、図４はセル支持フレームの分割された片側の側枠部を引き出したところを示す同液晶モジュールの平面図である。
【００１６】
この液晶モジュールは、リアフレーム１、光反射シート２、導光板３、セル支持フレーム４、Ｌ形ランプ５、ランプリフレクター６、光学シート７ａ，７ｂ、液晶セル８、ベゼル９などの主要部品で構成されている。
【００１７】
リアフレーム１は、図１，図４に示すように、相対向する左右一組の側板１ａの少なくとも一方の側板（右側の側板）が切除されており、この切除された側板と残り３辺の側板１ａ，１ｂ，１ｃの内側にセル支持フレーム４が設けられている。そして、このセル支持フレーム４の内側には、図２に示すように、光反射シート２と導光板３と２枚の光学シート７ａ，７ｂ（光拡散シート７ａとプリズムシート７ｂ）が重ねられて収容されており、また、セル支持フレーム４の上には液晶セル８の周縁部が載置されて、その上からベゼル９が被着されている。
【００１８】
上記のセル支持フレーム４は、リアフレーム１の右側の側板が切除されたことに対応して、図３，図４に示すように、相対向する左右一組の側枠部４ａ，４ｄの一方の側枠部４ｄ（右側の側枠部）が分割されている。そして、この分割された右側の側枠部４ｄの両端部は、その両隣りの側枠部４ｂ，４ｃの端部に形成されたＬ形片４ｅ，４ｅにビス１０，１０で脱着自在に連結されている。
【００１９】
セル支持フレーム４の分割された側枠部４ｄと他の側枠部４ａ，４ｂ，４ｃの内側にはランプリフレクター６がそれぞれ固着されている。そして、分割された側枠部４ｄのランプリフレクター６の内側には、冷陰極管をＬ形に曲げ加工したＬ形ランプ５の一端側部分５ａがランプ保持具（不図示）に保持されて固定されており、その片隣りの側枠部４ｂのランプリフレクター６の内側には、Ｌ形ランプ５の直角に曲がった他端側部分５ｂが出し入れ自在に挿入されている。このＬ片ランプ５の両端の端子は、ランプリフレクター６の端部に設けられたソケット５ｃ，５ｃに差し込まれて電気的に接続されている。
【００２０】
尚、この実施形態では、ランプリフレクター６をセル支持フレーム４の左側と下側の側枠部４ａ，４ｃにも固着しているが、上記のように１本のＬ形ランプ５を取付ける場合は、これらの側枠部４ａ，４ｃのランプリフレクター６を省略してもよいことは言うまでもない。
【００２１】
以上のような構成の液晶モジュールは、Ｌ形ランプ５からの直射光とランプリフレクター６で反射された反射光が導光板３の端面から入射し、導光板３の表面（上面）からの出射光が光拡散シート７ａを通過するときに均一に拡散され、更にプリズムシート７ｂを通過するときに指向性が高められて、液晶セル８を背面から明るく照射するため、前方から鮮明な表示を見ることができる。
【００２２】
そして、Ｌ形ランプ５の劣化に伴って液晶セル８の表示面の明るさが低下し、Ｌ形ランプ５を交換する必要が生じた場合は、次の要領で簡単にランプ交換を行うことができる。まず、ベゼル９を外し、ビス１０，１０を抜いて、セル支持フレーム４の分割された右側の側枠部４ｄを図４に示すように右側へ引き出す。すると、この側枠部４ｄのランプリフレクター６に固定されたＬ形ランプ５が一緒に引き出され、Ｌ形ランプ５の直角に曲がった他端側部分５ｂが片隣りの側枠部４ｂのランプリフレクター６から引き抜かれる。そこで、Ｌ形ランプ５を新しいものに取り替え、新しいＬ形ランプ５の他端側部分５ｂを片隣りの側枠部４ｂのランプリフレクター６に挿入しながら、分割された側枠部４ｄを押し込んで、Ｌ形ランプ５の端子をソケット５ｃに差込み接続し、押し込んだ側枠部４ｄの両端部を両隣りの側枠部４ｂ，４ｃの端部のＬ形片４ｅ，４ｅにビス１０，１０で連結すれば、Ｌ形ランプの交換作業を簡単かつ効率良く行うことができる。
【００２３】
上記のように、この液晶モジュールは、ランプ交換の際に、片隣りの側枠部４ｂのランプリフレクター６を引き抜いたり差し込んだりするものではなく、ランプリフレクター６の内側のＬ形ランプ５の他端側部分５ｂを引き抜いたり挿入したりするものであるから、導光板３の端面が側枠部４ｂのランプリフレクター６と摩擦して傷付けられたり、削り粉が出たりする心配はなく、また、分割された側枠部４ｄのランプリフレクター６も導光板３の端面を摩擦するものではないので、導光板３の右端面が傷付けられたり、削り粉が出たりする心配はない。従って、ランプ交換によって耐用年数を延ばすことが可能となる。
【００２４】
上記実施形態の液晶モジュールでは、セル支持フレーム４の分割された右側の側枠部４ｄの両端部を、両隣りの側枠部４ｂ，４ｃの端部のＬ形片４ｅ，４ｅにビス１０，１０で脱着自在に連結しているが、例えば、このＬ形片４ｅ，４ｅを被係合部とし、分割された側枠部４ｄの両端部内面に係合部として小凸部（不図示）を形成して、この小凸部をＬ形片４ｅ，４ｅに係合させることにより、脱着自在に連結してもよい。
【００２５】
図５はベゼルと液晶セルと光学シートを省略した本発明の他の実施形態に係る液晶モジュールの平面図、図６はセル支持フレームの分割された片側の側枠部を引き出したところを示す同液晶モジュールの平面図である。
【００２６】
この液晶モジュールは、セル支持フレーム４の分割された右側の側枠部４ｄのランプリフレクター６の内側に、冷陰極管をＵ字形に曲げ加工したＵ形ランプ５０の中央部分５０ｃをランプ保持具に保持させて固定し、その両隣りの側枠部４ｂ，４ｃのランプリフレクター６の内側に、Ｕ形ランプ５０の直角に曲がった両端側部分５０ａ，５０ｂを出し入れ自在に挿入して、両端の端子をソケット５ｃ，５ｃに差込み接続したものである。
【００２７】
この液晶モジュールの他の構成は、前述した図１〜図４に示す液晶モジュールと同様であるから、図５，図６において、同一部材に同一符号を付すにとどめ、重複する説明を省略する。
【００２８】
このような液晶モジュールも、ランプ交換が必要になったときに、ビス１０，１０を抜いて、セル支持フレーム４の分割された右側の側枠部４ｄを引き出すと、この側枠部４ｄのランプリフレクター６に固定されたＵ形ランプ５０が一緒に引き出されて、Ｕ形ランプ５０の直角に曲がった両端側部分５０ａ，５０ｂが両隣りの側枠部４ｂ，４ｃのランプリフレクター６，６から引き抜かれるので、Ｕ形ランプ５０を新しいものに取り替え、新しいＵ形ランプ５０の両端側部分５０ａ，５０ｂを両隣りの側枠部４ｂ，４ｃのランプリフレクター６，６に挿入しながら、右側の側枠部４ｄを押し込んでその両端部を両隣りの側枠部４ｂ，４ｃの端部のＬ形片４ｅ，４ｅにビス１０，１０で連結すれば、簡単にＵ形ランプの交換作業を行うことができる。この場合も、導光板３の端面がランプリフレクター６と摩擦しないので、導光板３の端面が傷付けられたり、削り粉が出たりする心配はない。
【００２９】
図７はベゼルと液晶セルと光学シートを省略した本発明の更に他の実施形態に係る液晶モジュールの平面図、図８はセル支持フレームの分割された両側の側枠部を引き出したところを示す同液晶モジュールの平面図である。
【００３０】
この液晶モジュールは２本のＬ形ランプを交換自在に取付けたものであって、リアフレーム１の相対向する左右一組の側板が切除され、これに対応してセル支持フレーム４の相対向する左右一組の側枠部４ａ，４ｄが分割されている。そして、この分割された側枠部４ａ，４ｂの両端部が、両隣りの側枠部４ｂ，４ｃの端部に形成されたＬ形片４ｅ，４ｅにビス１０，１０で脱着自在に連結されている。
【００３１】
左側の側枠部４ａのランプリフレクター６の内側には、一方のＬ形ランプ５の一端側部分５ａがランプ保持具（不図示）に保持されて固定されており、直角に曲がった他端側部分５ｂは、片隣りの側枠部４ｃのランプリフレクター６の内側に左側から出し入れ自在に挿入されている。また、右側の側枠部４ｄのランプリフレクター６の内側には、他方のＬ形ランプ５の一端側部分５ａがランプ保持具（不図示）に保持されて固定されており、直角に曲がった他端側部分５ｂは、片隣りの側枠部４ｂのランプリフレクター６の内側に右側から出し入れ自在に挿入されている。そして、双方のＬ片ランプ５，５の両端の端子は、セル支持フレーム４の各側枠部４ａ，４ｂ，４ｃ，４ｄの端部に設けられたソケット５ｃに差込み接続されている。
【００３２】
この液晶モジュールの他の構成は、前述した図１〜図４に示す液晶モジュールと同様であるので、図７，図８において同一部材に同一符号を付すにとどめ、重複する説明を省略する。
【００３３】
上記のように構成された液晶モジュールは、ランプ交換が必要になったときにビス１０，１０を抜いて、セル支持フレーム４の分割された左右の側枠部４ａ，４ｄを引き出すと、これらの側枠部４ａ，４ｄのランプリフレクター６，６に固定されたＬ形ランプ５，５が一緒に引き出されて、双方のＬ形ランプ５，５の直角に曲がった他端側部分５ａ，５ａが両隣りの側枠部４ｂ，４ｃのランプリフレクター６，６から左右に引き抜かれる。そこで、双方のＬランプ５，５を新しいものに取り替え、新しいＬ形ランプ５，５の両端側部分５ａ，５ａを両隣りの側枠部４ｂ，４ｃのランプリフレクター６，６に左右両側から挿入しつつ、左右の側枠部４ａ，４ｄを押し込んで、その両端部を両隣りの側枠部４ｂ，４ｃの端部のＬ形片４ｅ，４ｅにビス１０，１０で連結すれば、簡単に２本のＬ形ランプ５，５の交換作業を行うことができる。この場合も、導光板３の端面がランプリフレクター６と摩擦しないので、導光板３の端面が傷付けられたり、削り粉が出たりする心配はない。
【図面の簡単な説明】
【００３４】
【図１】本発明の一実施形態に係る液晶モジュールの概略分解斜視図である。
【図２】同液晶モジュールの断面図である。
【図３】ベゼルと液晶セルと光学シートを省略した同液晶モジュールの平面図である。
【図４】セル支持フレームの分割された片側の側枠部を引き出したところを示す同液晶モジュールの平面図である。
【図５】ベゼルと液晶セルと光学シートを省略した本発明の他の実施形態に係る液晶モジュールの平面図である。
【図６】セル支持フレームの分割された片側の側枠部を引き出したところを示す同液晶モジュールの平面図である。
【図７】ベゼルと液晶セルと光学シートを省略した本発明の更に他の実施形態に係る液晶モジュールの平面図である。
【図８】セル支持フレームの分割された両側の側枠部を引き出したところを示す同液晶モジュールの平面図である。
【符号の説明】
【００３５】
１    リアフレーム
１ａ，１ｂ，１ｃ  側壁
２    光反射シート
３    導光板
４    セル支持フレーム
４ａ，４ｄ  相対向する側枠部
５    Ｌ形ランプ
５ａ  Ｌ形ランプの一端側部分
５ｂ  Ｌ形ランプの他端側部分
５０  Ｕ形ランプ
５０ａ，５０ｂ  Ｕ形ランプの両側端部分
５０ｃ  Ｕ形ランプの中央部分
６    ランプリフレクター
７ａ，７ｂ  光学シート
８    液晶セル
９    ベゼル
１０  ビス
【図１】
2009042324.tif 000003
【図２】
2009042324.tif 000004
【図３】
2009042324.tif 000005
【図４】
2009042324.tif 000006
【図５】
2009042324.tif 000007
【図６】
2009042324.tif 000008
【図７】
2009042324.tif 000009
【図８】
2009042324.tif 000010